(57)【特許請求の範囲】
【請求項１】
油圧ジャッキが固定されるプレートと、
巻上機のシーブ軸に嵌め込まれたシーブのシーブ溝に嵌め合う形状を呈した抜き取り用治具と、
前記プレートと前記抜き取り用治具とを固定するジャッキボルトと、を有するシーブ抜き取り装置であって、
前記油圧ジャッキを加圧していき前記シーブ軸に荷重を加えることにより、前記シーブ溝に嵌め合った前記抜き取り用治具を抜き取るシーブ抜き取り装置。
【請求項２】
前記抜き取り用治具は、前記シーブ溝の上方及び下方の２方向から嵌め合うように、上下で２分割されている請求項１記載のシーブ抜き取り装置。
【請求項３】
前記抜き取り用治具は、前記シーブ溝の一方向及び他方向の２方向から嵌め合うように、左右で２分割されている請求項１記載のシーブ抜き取り装置。
【請求項４】
前記抜き取り用治具は、前記シーブ溝の形状に合うように、複数枚の介挿プレートを積層し両側からベースプレートで挟むようにして形成した請求項１記載のシーブ抜き取り装置。
【請求項５】
前記油圧ジャッキを加圧した際、前記巻上機に取付けられている軸受には荷重は作用しないことを特徴とした請求項１乃至請求項４のいずれか１項に記載のシーブ抜き取り装置。
【請求項６】
前記プレートには、前記ジャッキボルトを通す貫通穴が開けられている請求項１乃至請求項５のいずれか１項に記載のシーブ抜き取り装置。
【請求項７】
前記プレートには、上下方向から前記油圧ジャッキの胴体部を挟持する受け部が形成されている請求項１乃至請求項６のいずれか１項に記載のシーブ抜き取り装置。
【請求項８】
前記油圧ジャッキは、ラムの先端面が前記シーブ軸の端面に対向するように載置される請求項１乃至請求項７のいずれか１項に記載のシーブ抜き取り装置。
【請求項９】
前記ジャッキボルトは、前記プレートの平面と前記抜き取り用治具の平面間を略平行に保持する請求項１乃至請求項８のいずれか１項に記載のシーブ抜き取り装置。
【発明の詳細な説明】
【技術分野】
【０００１】
本発明の実施形態は、シーブ抜き取り装置に関する。
【背景技術】
【０００２】
エレベータの駆動シーブ（溝車）の外周部には複数本のメインロープが巻き掛けられるシーブ溝が設けられており、この駆動シーブを巻上機により回転駆動すると、各メインロープがシーブ溝との間に生じる摩擦力によって巻き取られるようになっている。
【０００３】
駆動シーブを長期間使用すると、メインロープとの摩擦力でシーブ溝が摩耗するため、シーブを交換する必要がでてくる。
【０００４】
シーブの交換には、シーブをシーブ軸から抜き取る必要がある。そのため、シーブに予め抜き取り用のネジ加工が施されており、そのネジ穴を利用してシーブを抜き取っていた。
【０００５】
このネジ穴加工は、工数もかかり費用がかさんでいた。さらに、抜き取りに際して、シーブ軸の軸心に沿って抜き取るのが容易でないことから、シーブ軸のベアリング機構を損傷することがあった。
【先行技術文献】
【特許文献】
【０００６】
【特許文献１】特開２０１１−５１７９１号公報
【発明の概要】
【発明が解決しようとする課題】
【０００７】
本発明が解決しようとする課題は、シーブの加工コストを低減することのでき、またシーブ軸のベアリング機構を損傷することのないシーブ抜き取り装置を提供することである。
【課題を解決するための手段】
【０００８】
実施形態のシーブ抜き取り装置は、油圧ジャッキが固定されるプレートと、巻上機のシーブ軸に嵌め込まれたシーブのシーブ溝に嵌め合う形状を呈した抜き取り用治具と、前記プレートと前記抜き取り用治具とを固定するジャッキボルトと、を有するシーブ抜き取り装置であって、前記油圧ジャッキを加圧していき前記シーブ軸に荷重を加えることにより、前記シーブ溝に嵌め合った前記抜き取り用治具を抜き取る。
【図面の簡単な説明】
【０００９】
【図１】巻上機に取り付けられたシーブの抜き取り装置を概略的に示す斜視図である。
【図２】シーブ抜き取り装置の構成を示す略断面図である。
【図３】上下２分割型の抜き取り用治具を示す図である。
【図４】積層型の抜き取り用治具を示す図である。
【発明を実施するための形態】
【００１０】
以下、本発明の一実施の形態について、図面を参照して説明する。尚、各図において同一箇所については同一の符号を付すとともに、重複した説明は省略する。
【００１１】
本実施形態に係るシーブ抜き取り装置は、シーブ溝に治具を取り付けて、シーブ軸先端に油圧ジャッキを押し付けて、シーブを引き抜くものである。油圧ジャッキは、油圧を利用してプランジャに加える力をテコの原理でラムに大きくして伝達させるものである。
【００１２】
図１は、巻上機に取り付けられたシーブの抜き取り装置を概略的に示す斜視図である。また、図２は、シーブ抜き取り装置の構成を示す略断面図である。
【００１３】
本実施形態に係るシーブ抜き取り装置１０は、主として、油圧ジャッキ４０が載置・固定されるプレート１２と、ジャッキボルト１３と、抜き取り用治具１１から構成されている。
【００１４】
図１に示すように、巻上機２０本体の上部には、シーブ交換時に重量のあるシーブ３０を吊りあげる際に使用する吊りボルト２１が取り付けられている。
【００１５】
プレート１２は、油圧ジャッキ４０を固定して保持するものである。プレート１２は、油圧ジャッキ４０を載置可能な強度を要し、例えば鋼板製が好適である。プレート１２には、図２に示すように、油圧ジャッキ４０を載置する受け部１２Ａが形状されている。受け部１２Ａは、例えば上下方向から油圧ジャッキ４０の胴体部を挟持する。油圧ジャッキ４０は、ラム４１の先端面がシーブ軸３１の端面に対向するように載置する。
【００１６】
プレート１２には、ジャッキボルト１３を通す貫通穴が開けられている。プレート１２は、ジャッキボルト１３を介して抜き取り用治具１１に固定される。このとき、プレート１２の受け部１２Ａも油圧ジャッキ４０を挟持しつつ、ジャッキボルト１３によって緊締される。
【００１７】
油圧ジャッキ４０は、プレート１２に載置して固定できる大きさのものであれば、汎用のものを使用することが出来る。
【００１８】
ジャッキボルト１３は、プレート１２と抜き取り用治具１１とを固定するものである。ジャッキボルト１３は、油圧ジャッキ４０とプレート１２の荷重に耐え、且つプレート１２の平面と抜き取り用治具１１の平面間を略平行に保持するだけの強度と耐久性が必要である。
【００１９】
抜き取り用治具１１は、巻上機２０のシーブ軸３１に嵌め込まれたシーブ３０のシーブ溝３０Ａに嵌め合う形状を呈している。抜き取り用治具１１は、シーブ溝３０Ａの上方及び下方の２方向から嵌め合うように、例えば上下に１１Ａ、１１Ｂの２分割となっている。図３は、上下２分割型の抜き取り用治具１１を示す図である。抜き取り用治具１１をシーブ溝３０Ａに嵌め合わせることによりシーブ３０を挟み、例えば、ボルトで固定する。尚、シーブ溝３０Ａの左右方向からの２分割構成であってもよい。
【００２０】
抜き取り用治具１１は、シーブ溝３０Ａの形状に合うように、複数枚の介挿プレート１１Ｅを積層し両側からベースプレート１１Ｃ、１１Ｄで挟むようにして形成することもできる。図４は、積層型の抜き取り用治具１１を示す図である。図４に示すように、ベースプレート１１Ｃ、１１Ｄに挟まれる数種の介挿プレート１１Ｅの枚数を変えることで、複数種のシーブ溝３０Ａに対応させることができる。
【００２１】
巻上機２０のシーブ３０は１種類だけではなく、シーブ溝３０Ａの形状、溝本数にも種類がある。そこで、抜き取り用治具１１は、シーブ溝３０Ａの種類に応じて、シーブ溝３０Ａに合うものを用意しておくことが肝要である。
【００２２】
次に、以上のように構成されたシーブ抜き取り装置１０によって、巻上機２０に嵌め込まれたシーブ３０を抜き取る手順について説明する。尚、以下に述べる手順は、あくまでも一例である。
【００２３】
まず、昇降路天井フック（図示しない）に吊り下げられた揚重機の吊部（図示しない）を吊りボルト２１に引っ掛けて、巻上機２０本体を吊り下げる。
【００２４】
次に、シーブ３０のシーブ溝３０Ａに抜き取り用治具１１を嵌め合わせる。
【００２５】
次に、抜き取り用治具１１にジャッキボルト１３を取り付ける。
【００２６】
次いで、プレート１２の受け部１２Ａに油圧ジャッキ４０を載置する。
【００２７】
次に、ジャッキボルト１３を介してプレート１２を抜き取り用治具１１に取り付ける。
【００２８】
油圧ジャッキ４０のラム４１をシーブ軸３１に対向させて、油圧ジャッキ４０を作動させる。プレート１２と抜き取り用治具１１はジャッキボルト１３によって固定され、プレート１２と抜き取り用治具１１間の距離は一定である。そのため、シーブ軸３１がラム４１に押される力に作用によって抜き取り用治具１１はラム４１の動きとは反対方向の力を受ける。さらにラム４１がシーブ軸を押すことにより、抜き取り用治具１１はシーブ軸３１から離合する方向に力を受けシーブ軸から抜き取られる。本実施形態では、油圧ジャッキを加圧したときに、巻上機のシーブ軸に荷重を加えることで、巻上機に取付けられている軸受には荷重は作用しない。そのため、シーブの抜き取りに際して、巻上機に取付けられている軸受が保護される。
【００２９】
抜き取り用治具１１をシーブ溝３０Ａから離合させることにより、シーブ３０の取り外しは完了する。
【００３０】
本実施形態によれば、シーブの加工コストを低減することができ、またシーブ軸のベアリング機構を損傷する虞を著しく低減することが可能となる。
【００３１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３２】
１０・・・シーブ抜き取り装置
１１・・・抜き取り用治具
１２・・・プレート
１３・・・ジャッキボルト
２０・・・巻上機
３０・・・シーブ
４０・・・油圧ジャッキ
【要約】
【課題】シーブの加工コストを低減することのでき、またシーブ軸のベアリング機構を損傷することのないシーブ抜き取り装置を提供する。
【解決手段】油圧ジャッキが固定されるプレートと、巻上機のシーブ軸に嵌め込まれたシーブのシーブ溝に嵌め合う形状を呈した抜き取り用治具と、プレートと抜き取り用治具とを固定するジャッキボルトと、を有するシーブ抜き取り装置であって、油圧ジャッキを加圧していきシーブ軸に荷重を加えることにより、シーブ溝に嵌め合った抜き取り用治具を抜き取るシーブ抜き取り装置。
【選択図】図２【図１】
0005496374.tif 000002
【図２】
0005496374.tif 000003
【図３】
0005496374.tif 000004
【図４】
0005496374.tif 000005